(57)【要約】【課題】ユーザが複数の異なる操作端末を用いて操作した場合であっても、現在使用している操作端末に応じた操作を容易に行なうことができる表示装置、表示システム、表示方法、プログラムおよび記録媒体を提供する。【解決手段】本発明に係る表示装置１は、操作端末２０によって操作される表示装置１であって、操作端末２０から送信された、操作端末２０を識別するための識別情報を受信する受信部２と、複数のコンテンツを記憶するコンテンツ記憶部４と、複数のコンテンツのうち、受信された上記識別情報と対応するコンテンツを表示用コンテンツとして、コンテンツ記憶部４から取得するコンテンツ取得部３と、取得された上記表示用コンテンツを表示する画像出力部６とを備える。したがって、ユーザが複数の異なる操作端末２０を用いて操作した場合であっても、現在使用している操作端末２０に応じた操作を容易に行なうことができる。【選択図】図１
2011035697.tif 000002
【特許請求の範囲】
【請求項１】
操作端末によって操作される表示装置であって、
上記操作端末から送信された、上記操作端末を識別するための識別情報を受信する識別情報受信手段と、
複数のコンテンツを記憶するコンテンツ記憶手段と、
上記複数のコンテンツのうち、受信された上記識別情報と対応するコンテンツを表示用コンテンツとして、上記コンテンツ記憶手段から取得するコンテンツ取得手段と、
取得された上記表示用コンテンツを表示する表示手段とを備えることを特徴とする表示装置。
【請求項２】
上記コンテンツ記憶手段は、上記複数のコンテンツのそれぞれに、各コンテンツを特定するための特定情報を関連付けて記憶しており、
上記コンテンツ取得手段は、受信された上記識別情報に一致する上記特定情報に関連付けられたコンテンツを、上記表示用コンテンツとして取得することを特徴とする請求項１に記載の表示装置。
【請求項３】
上記表示用コンテンツは、上記操作端末を操作するための方法に関する操作情報を含むことを特徴とする請求項１または２に記載の表示装置。
【請求項４】
上記表示用コンテンツを音声信号に変換する変換手段と、
上記音声信号を出力する音声出力手段をさらに備えることを特徴とする請求項１〜３のいずれか１項に記載の表示装置。
【請求項５】
上記コンテンツ取得手段は、外部機器を通じて、上記表示用コンテンツと異なる他のコンテンツをさらに取得し、
上記表示手段は、取得された上記表示用コンテンツおよび上記他のコンテンツを同時に表示することを特徴とする請求項１〜４のいずれか１項に記載の表示装置。
【請求項６】
操作端末および当該操作端末によって操作される表示装置を含む表示システムであって、
上記操作端末は、
自装置を識別するための識別情報を送信する識別情報送信手段を備え、
上記表示装置は、
上記操作端末から送信された上記識別情報を受信する識別情報受信手段と、
複数のコンテンツを記憶するコンテンツ記憶手段と、
上記複数のコンテンツのうち、受信された上記識別情報と対応するコンテンツを表示用コンテンツとして、上記コンテンツ記憶手段から取得するコンテンツ取得手段と、
取得された上記表示用コンテンツを表示する表示手段とを備えることを特徴とする表示システム。
【請求項７】
操作端末から送信された、上記操作端末を識別するための識別情報を受信する受信ステップと、
コンテンツ記憶手段に記憶された複数のコンテンツのうち、受信された上記識別情報と対応するコンテンツを表示用コンテンツとして、上記コンテンツ記憶手段から取得するコンテンツ取得ステップと、
取得された上記表示用コンテンツを表示する表示ステップとを含むことを特徴とする表示方法。
【請求項８】
請求項１〜５のいずれか１項に記載の表示装置を動作させるプログラムであって、コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、操作端末によって操作される表示装置、表示システム、表示方法、プログラムおよび記録媒体に関するものである。
【背景技術】
【０００２】
従来、ＴＶまたはＤＶＤプレーヤー等の家庭用電子機器には、離れた場所から遠隔操作するリモコン送信機が使用されている。また、多機能化が進む電子機器において、ユーザインターフェースを改善する目的で複数個のリモコンを付属する機器があり、たとえば全機能に対応したリモコンと、使用者が頻繁に使用する機能のみに対応したリモコンとを付属する電子機器も知られている。
【０００３】
また、近年では、付属されているリモコン以外のさまざまな通信機能を搭載した操作端末によって電子機器を操作する技術も開発されており、多種多様な利用方法が可能となりつつある。このような状況の中、操作におけるユーザの利便性を考慮した技術がこれまでに開発されている。
【０００４】
たとえば特許文献１には、複数のリモコンに対応する表示装置において、リモコンから送信されるリモコンコード信号によってリモコンを識別し、識別したリモコンの特徴に合わせた表示をする技術が開示されている。
【先行技術文献】
【特許文献】
【０００５】
【特許文献１】特開２００８−１６０４１２号公報（２００８年７月１０日公開）
【発明の概要】
【発明が解決しようとする課題】
【０００６】
上述したように、テレビなどの電子機器はリモコン以外の各種操作端末によって操作され得る。しかしながら、これら操作端末を用いて電子機器を操作するユーザにとっては、操作端末ごとの操作方法が異なるために操作し難いという問題がある。たとえば、ユーザがそれまで操作端末としてリモコンを用いていたが、途中で別の携帯端末に持ち替えて操作した場合、これら操作端末ではそれぞれ操作方法が異なる。したがって、ユーザはそれぞれの操作端末に応じた操作を容易に把握できず、操作し難い。
【０００７】
また、特許文献１の技術では、各リモコンの識別にリモコンコード信号を用いているため、被操作端末側が認識できるのはリモコンコード信号を送信可能な操作端末のみである。通常、リモコンコード信号を送信するのはリモコンであり、その他の操作端末ではたとえば無線ＬＡＮ通信またはＢｌｕｅｔｏｏｔｈ通信などによって被操作端末と通信を行なっている。そのため、特許文献１の技術では、リモコン以外の操作端末を識別することができない。
【０００８】
本発明は、上記の問題点に鑑みてなされたものであり、その目的は、ユーザが複数の異なる操作端末を用いて操作した場合であっても、現在使用している操作端末に応じた操作を容易に行なうことができる表示装置、表示システム、表示方法、プログラムおよび記録媒体を提供することができる。
【課題を解決するための手段】
【０００９】
本発明に係る表示装置は、上記の課題を解決するために、
操作端末によって操作される表示装置であって、
上記操作端末から送信された、上記操作端末を識別するための識別情報を受信する識別情報受信手段と、
複数のコンテンツを記憶するコンテンツ記憶手段と、
上記複数のコンテンツのうち、受信された上記識別情報と対応するコンテンツを表示用コンテンツとして、上記コンテンツ記憶手段から取得するコンテンツ取得手段と、
取得された上記表示用コンテンツを表示する表示手段とを備えることを特徴としている。
【００１０】
上記の構成によれば、本発明に係る表示装置は、複数の異なる操作端末から操作信号を受け付け、各操作端末に応じてコンテンツの表示を切り替える。具体的には、表示装置は、操作端末から送信される識別情報を受信すると、当該識別情報に対応するコンテンツ（表示用コンテンツ）を取得し、表示する。
【００１１】
この識別情報とは、操作端末ごとに保有する、自装置（操作端末）を識別するための情報が意図される。そのため、表示装置は受信した識別情報を送信する操作端末に応じたコンテンツを表示する。これにより、ユーザが現在使用している操作端末を別の操作端末と持ち替えて操作した場合であっても、当該別の操作端末に対応するコンテンツに表示を切り替えることができる。
【００１２】
ここで、コンテンツとは、ユーザが操作する操作端末を取り替えると、連動して表示形態が切り替わるコンテンツのことが意図され、たとえば操作端末を操作するための方法に関する操作情報などを含む。本発明に係る表示装置は、識別情報に対応するコンテンツを含む、複数のコンテンツを記憶している。そのため、表示装置では、操作端末から識別情報を受信すると、予め表示装置内に記憶されている複数のコンテンツの中から当該識別情報に対応するコンテンツを取得する。
【００１３】
たとえば、ユーザが表示装置においてテレビ映像を視聴しながら、現在使用している操作端末の操作情報を表すコンテンツを表示させているとき、この操作端末を別の操作端末に持ち替えて操作すると、別の操作端末に対応するコンテンツに切り替わる。
【００１４】
このように、本発明に係る表示装置は、ユーザが複数の異なる操作端末を持ち替えて操作したとしても、現在使用している操作端末に応じた操作方法を確認しながら操作することができる。したがって、ユーザはユーザが複数の異なる操作端末を用いて操作した場合であっても、現在使用している操作端末に応じた操作を容易に行なうことができる。
【００１５】
（コンテンツの保存）
また、本発明に係る表示装置は、さらに、
上記コンテンツ記憶手段は、上記複数のコンテンツのそれぞれに、各コンテンツを特定するための特定情報を関連付けて記憶しており、
上記コンテンツ取得手段は、受信された上記識別情報に一致する上記特定情報に関連付けられたコンテンツを、上記表示用コンテンツとして取得することが好ましい。
【００１６】
上記の構成によれば、コンテンツ記憶手段は、複数のコンテンツのそれぞれに、各コンテンツを特定するための特定情報を関連付けて記憶している。そのため、識別情報受信手段が識別情報を受信すると、コンテンツ取得手段は、当該識別情報と特定情報とを照らし合わせて、これらが一致した場合に、一致した特定情報に関連付けられたコンテンツを表示用コンテンツとして取得する。
【００１７】
（コンテンツの詳細）
また、本発明に係る表示装置は、さらに、
上記表示用コンテンツは、上記操作端末を操作するための方法に関する操作情報を含むことが好ましい。
【００１８】
上記の構成によれば、表示装置は、表示用コンテンツとして操作端末を操作するための方法に関する操作情報を表示する。つまり、ユーザが使用する操作端末を取り替えたとき、操作情報を現在使用している操作端末に応じた形態で表示することができる。よって、ユーザは複数の異なる操作端末を用いたとしても、各操作端末に応じた操作方法を確認することができるので、容易に操作することができる。
【００１９】
（コンテンツの音声変換）
また、本発明に係る表示装置は、さらに、
上記表示用コンテンツを音声信号に変換する変換手段と、
上記音声信号を出力する音声出力手段をさらに備えることが好ましい。
【００２０】
上記の構成によれば、表示装置は、コンテンツ取得手段によって取得したコンテンツを音声に変換する変換手段を備えている。たとえば、取得したコンテンツに操作端末を操作するための操作情報が含まれている場合、当該操作情報を音声信号として出力することにより、ユーザは耳から操作情報を確認することができる。
【００２１】
（他のコンテンツと同時表示）
また、本発明に係る表示装置は、さらに、
上記コンテンツ取得手段は、外部機器を通じて、上記表示用コンテンツと異なる他のコンテンツをさらに取得し、
上記表示手段は、取得された上記表示用コンテンツおよび上記他のコンテンツを同時に表示することが好ましい。
【００２２】
上記の構成によれば、表示装置は、操作端末ごとに対応した表示コンテンツと異なる他のコンテンツを、表示コンテンツとともに表示させる。
【００２３】
（表示システム）
本発明に係る表示方法は、上記の課題を解決するために、
操作端末および当該操作端末によって操作される表示装置を含む表示システムであって、
上記操作端末は、
自装置を識別するための識別情報を送信する識別情報送信手段を備え、
上記表示装置は、
上記操作端末から送信された上記識別情報を受信する識別情報受信手段と、
複数のコンテンツを記憶するコンテンツ記憶手段と、
上記複数のコンテンツのうち、受信された上記識別情報と対応するコンテンツを表示用コンテンツとして、上記コンテンツ記憶手段から取得するコンテンツ取得手段と、
取得された上記表示用コンテンツを表示する表示手段とを備えることを特徴としている。
【００２４】
上記の構成によれば、表示装置は、操作端末から送信される自装置を識別するための識別情報に対応する表示用コンテンツを表示させるため、使用している操作端末に適した表示をすることができる。
【００２５】
本発明に係る表示方法は、上記の課題を解決するために、
操作端末から送信された、上記操作端末を識別するための識別情報を受信する受信ステップと、
コンテンツ記憶手段に記憶された複数のコンテンツのうち、受信された上記識別情報と対応するコンテンツを表示用コンテンツとして、上記コンテンツ記憶手段から取得するコンテンツ取得ステップと、
取得された上記表示用コンテンツを表示する表示ステップとを含むことを特徴としている。
【００２６】
これにより、ユーザが複数種類の操作端末を用いて表示装置を操作したとしても、使用する操作端末に応じた操作方法を確認しながら容易に操作することができる。したがって、ユーザの利便性を向上させることができる。
【００２７】
（プログラムおよび記録媒体）
なお、本発明に係る表示装置は、コンピュータによって実現してもよい。この場合、コンピュータを上記各手段として動作させることにより表示装置をコンピュータにおいて実現するプログラム、およびそのプログラムを記録したコンピュータ読み取り可能な記録媒体も、本発明の範疇に入る。
【発明の効果】
【００２８】
本発明に係る表示装置は、操作端末によって操作される表示装置であって、上記操作端末から送信された、上記操作端末を識別するための識別情報を受信する識別情報受信手段と、複数のコンテンツを記憶するコンテンツ記憶手段と、受信された上記識別情報と対応する上記コンテンツを、上記コンテンツ記憶手段から取得するコンテンツ取得手段と、取得された上記コンテンツを表示する表示手段とを備える。したがって、ユーザが複数の異なる操作端末を用いて操作した場合であっても、現在使用している操作端末に応じた操作を容易に行なうことができる。
【図面の簡単な説明】
【００２９】
【図１】本発明の一実施形態に係る表示装置の概略構成を示すブロック図である。
【図２】表示装置における、操作端末に応じたコンテンツ取得の流れを示す図である。
【図３】表示装置において表示されるコンテンツの切り替え例を示す図である。
【図４】表示装置におけるコンテンツ切り替え処理の流れを示すフローチャートである。
【図５】コンテンツ記憶部においてコンテンツと特定情報とを関連付けて記憶するテーブルを示す。
【図６】操作端末による識別情報送信のバリエーションを示す図である。
【発明を実施するための形態】
【００３０】
本発明の一実施形態について、図１〜５を参照して以下に説明する。
【００３１】
（表示装置１の構成）
図１は、本発明の一実施形態に係る表示装置１の概略構成を示すブロック図である。図１に示すように、表示装置１は、受信部（識別情報受信手段）２、コンテンツ取得部（コンテンツ取得手段）３、コンテンツ記憶部（コンテンツ記憶手段）４、画像処理部５、画像出力部（表示手段）６、ディスプレイ７、音声変換部（音声変換手段）８、音声出力部９、スピーカ１０および制御部１１を備えている。
【００３２】
表示装置１は、複数の異なる操作端末２０によって操作可能な表示装置である。具体的には、ユーザの操作によって操作端末２０から送信される制御信号を受け付けると、制御信号に含まれる制御情報に基づいて、各種動作を実行する。また、表示装置１は、ユーザが他の操作端末２０に持ち替えた場合であっても、当該他の操作端末２０から送信される制御信号を受け付け、操作することができる。
【００３３】
また、表示装置１は、複数の異なる操作端末２０から操作信号を受け付け、各操作端末に応じてコンテンツの表示を切り替える。具体的には、表示装置１は、操作端末２０から送信される識別情報を受信すると、当該識別情報に対応するコンテンツ（表示用コンテンツ）を取得し、表示する。
【００３４】
ここで、コンテンツとは、ユーザが操作する操作端末２０を取り替えると、連動して表示形態が切り替わるコンテンツのことが意図され、たとえば操作端末２０を操作するための方法に関する操作情報などを含む。本実施形態に係る表示装置１は、識別情報に対応するコンテンツを含む、複数のコンテンツを記憶している。そのため、表示装置１では、操作端末２０から識別情報を受信すると、予め表示装置１内に記憶されている複数のコンテンツの中から当該識別情報に対応するコンテンツを取得する。
【００３５】
たとえば、ユーザが表示装置１においてテレビ映像を視聴しながら、現在使用している操作端末２０の操作情報を表すコンテンツを表示させているとき、この操作端末２０を別の操作端末２０に持ち替えて操作すると、別の操作端末２０に対応するコンテンツに切り替わる。
【００３６】
このように、表示装置１は、ユーザが複数の異なる操作端末２０を持ち替えて操作したとしても、現在使用している操作端末２０に応じた操作方法を確認しながら操作することができる。したがって、ユーザが複数の異なる操作端末２０を用いて操作した場合であっても、現在使用している操作端末２０に応じた操作を容易に行なうことができる。
【００３７】
受信部２は、操作端末２０から送信される識別情報を受信し、コンテンツ取得部３に出力する。
【００３８】
本明細書において「識別情報」とは、操作端末２０ごとに保有する、自装置（操作端末）を識別するための情報が意図される。そのため、表示装置１は受信した識別情報を送信する操作端末２０に応じたコンテンツを表示する。これにより、ユーザが現在使用している操作端末２０を別の操作端末２０と持ち替えて操作した場合であっても、当該別の操作端末２０に対応するコンテンツに表示を切り替えることができる。識別情報としては、たとえば「TVRemoteControl/CellPhone/SH999」のように「操作端末の種別／操作端末の機種情報」といった形式で表されるような、操作端末の種別および操作端末の機種情報を含んだ情報であってもよい。
【００３９】
受信部２と操作端末２０との間の情報の通信方法は、特に限定されるものではなく、たとえばＢｌｕｅｔｏｏｔｈ（登録商標）、無線ＬＡＮ通信、ワイヤレスＵＳＢおよび赤外線などの短距離通信を用いてもよい。また、受信部２は、操作端末２０から送信される制御情報を受信する。制御情報としては、たとえばチャンネルまたは音量の設定指示などが挙げられる。
【００４０】
コンテンツ取得部３は、受信した識別情報に対応するコンテンツを取得する。具体的には、コンテンツ記憶部４には、複数のコンテンツのそれぞれに、各コンテンツを特定するための特定情報が関連付けて記憶されている。コンテンツ取得部３は、受信した識別情報に一致する特定情報に関連付けられたコンテンツを取得する。
【００４１】
なお、コンテンツ取得部３は、たとえばコンテンツ記憶部４に受信した識別情報に対応するコンテンツが記憶されていない場合、コンテンツを配信するサーバなどの外部機器３０からコンテンツを取得することが可能である。
【００４２】
また、コンテンツ取得部３は、操作端末２０から送信される制御情報に基づき、外部機器からメインコンテンツ（他のコンテンツ）を取得することができる。ここで言う「メインコンテンツ」とは、たとえばアンテナを通じて取得されるテレビ番組、またはインターネットを介して取得される各種コンテンツ等を意味する。また、外部機器としては、たとえばコンテンツ配信サーバ、アンテナ、外部記憶装置または記録メディアなどが挙げられる。コンテンツ取得部３は、取得したコンテンツおよびメインコンテンツを画像処理部５へ出力する。
【００４３】
コンテンツ記憶部４は、複数のコンテンツを記憶する。具体的には、上述したように、複数のコンテンツのそれぞれに、各コンテンツを特定するための特定情報を関連付けて記憶している。
【００４４】
画像処理部５は、コンテンツおよびメインコンテンツを処理して画像出力部６へ出力する。
【００４５】
画像出力部６は、画像処理部５において処理されたコンテンツおよびメインコンテンツを同時にディスプレイ７に出力する。これによりディスプレイ７は、コンテンツおよびメインコンテンツを表示する。ディスプレイ７は、たとえば液晶ディスプレイ、プラズマディスプレイまたは有機ＥＬディスプレイとして実現される。
【００４６】
音声変換部８は、コンテンツ取得部３が取得したコンテンツの表示内容を音声信号に変換する。たとえば、コンテンツが操作情報を含む場合、当該操作情報を音声ガイドのように変換することにより、ユーザはより使い勝手がよくなる。音声変換部８は、変換した音声信号を音声出力部９に出力する。
【００４７】
音声出力部９は、変換された音声信号をスピーカ１０に出力する。これによりスピーカ１０は、コンテンツを音声信号として出力する。
【００４８】
制御部１１は、表示装置１における動作を統括制御する。
【００４９】
（複数の操作端末２０による操作）
図２は、表示装置１における、操作端末２０に応じたコンテンツ取得の流れを示す図である。
【００５０】
図２において、表示装置１はＴＶであり、外部機器３０からＴＶ番組（メインコンテンツ）を取得している。また、図２に示す表示装置１は、ＴＶ付属のリモコン２０Ａ、携帯電話２０Ｂおよび辞書端末２０Ｃと、複数の操作端末２０によって操作される。このように、表示装置１はＴＶ付属のリモコンの他、各種モバイル端末によって操作され得る。これらの操作端末２０を用いて表示装置１を操作することにより、たとえばＴＶ番組を切り替えたり、ＴＶにおいてインターネットサービスを利用したりすることができる。
【００５１】
（コンテンツ表示の切り替え例）
図３は、表示装置１において表示されるコンテンツの切り替え例を示す図である。ここで、ユーザはインターネットサービスを利用しており、ディスプレイ７には「今日のニュース」がメインコンテンツ２１として表示されている。また、ディスプレイ７には、たとえば次のニュースを表示するための操作方法、またはニュースのジャンルを切り替えるための操作方法などの操作ガイダンス２２がコンテンツとして表示されている。
【００５２】
この操作ガイダンス２２は、各操作端末２０によって異なる。そのため、ユーザが現在使用している操作端末２０に応じて、表示する操作ガイダンス２２を切り替える。
【００５３】
まず、ユーザがリモコン２０Ａを用いて表示装置１を操作している。このとき、表示装置１は現在リモコン２０Ａによって操作されていることを認識している。よって、図３の（ａ）に示すように、ディスプレイ７にはリモコン２０Ａに対応する操作ガイダンス２２が表示される。
【００５４】
次に、ユーザがリモコン２０Ａから携帯電話２０Ｂに持ち替え、携帯電話２０Ｂから表示装置１に対して識別情報を送信する。識別情報は、たとえば携帯電話２０に設けられた識別情報の送信用ボタンをユーザが押すことにより送信されるよう、予め設定しておけばよい。表示装置１は、受信した識別情報に基づき、表示する操作ガイダンス２２を変更する（図３の（ｂ））。つまり、表示装置１では、リモコン２０Ａに対応する操作ガイダンス２２から携帯電話２０Ｂに対応する操作ガイダンス２２に切り替える。
【００５５】
さらに、ユーザが携帯電話２０Ｂから辞書端末２０Ｃに持ち替え、辞書端末２０Ｃから表示装置１に対して識別情報を送信すると、表示装置１は辞書端末２０Ｃの識別情報を受信することになり、図３の（ｃ）に示すように、辞書端末２０Ｃに対応した操作ガイダンス２２が表示される。
【００５６】
（表示装置１におけるコンテンツの切り替えの流れ）
次に、表示装置１が識別情報を受信してから、コンテンツの表示切り替えを実行するまでの処理の流れについて説明する。図４は、表示装置１におけるコンテンツ切り替え処理の流れを示すフローチャートである。
【００５７】
まず、受信部２は、操作端末２０から識別情報が送信されているか否かを確認する（ステップＳ１）。受信部２は、識別情報を受信すると、当該識別情報を受信したことを制御部１１に通知する（ステップＳ２）。制御部１１は、現在ディスプレイ７に表示されているコンテンツに関して、操作端末２０に応じたコンテンツを表示する必要があるか否かをコンテンツ記憶部４に対して確認する（ステップＳ３）。
【００５８】
つまり、コンテンツ記憶部４は、図５に示すように、特定情報と識別情報との対応関係に基づき、コンテンツを保持している。図５は、コンテンツ記憶部４においてコンテンツと特定情報とを関連付けて記憶するテーブルを示す。
【００５９】
たとえば、ユーザが表示装置１においてコンテンツを表示させると、まず各操作端末２０に対応していない共通コンテンツのいずれか（コンテンツＡ〜Ｃ）を表示する。次に、ユーザがリモコン２０Ａから識別情報を送信すると、制御部１１は現在表示しているコンテンツが受信した識別情報に対応するコンテンツであるか否かを確認する。この結果、表示されているコンテンツが受信した識別情報に対応していないと判断された場合、制御部１１はさらに、受信した識別情報と特定情報とを照らし合わせて、コンテンツ記憶部４が当該識別情報に対応するコンテンツＡ１を保持しているかを確認する（ステップＳ４）。
【００６０】
一方、たとえばコンテンツＡ１が表示されているとき、ユーザがさらにリモコンＡ１から識別情報を送信した場合、制御部１１は当該識別情報が現在表示されているコンテンツＡ１に対応していると判断し、コンテンツの切り替え処理を終了する。
【００６１】
次に、図５の特定情報Ｂの欄に示すように、識別情報に対応するコンテンツがない場合、制御部１１はコンテンツ記憶部４に当該コンテンツが保持されていないと判断し、コンテンツ取得部３に外部機器３０であるサーバから該当するコンテンツを取得させる（ステップＳ５）。
【００６２】
コンテンツ取得部３は、識別情報に対応するコンテンツをサーバから取得可能か確認する（ステップＳ６）。その結果、サーバからのコンテンツ取得が可能であれば、コンテンツ取得部３は当該コンテンツを取得し、取得したコンテンツをコンテンツ記憶部４に保存する（ステップＳ７）。このように取得したコンテンツは、画像出力部６によって出力され、ディスプレイ７において表示される（ステップＳ８）。一方、サーバからのコンテンツ取得が可能でない場合、コンテンツの切り替え処理を終了する。
【００６３】
（操作端末２０による識別情報送信方法のバリエーション）
上述したように、操作端末２０による識別情報の送信は、ユーザが操作端末２０に設けられたボタンを押す等、操作端末２０に何らかのトリガーを与えることによって実行される。ここで、操作端末２０による識別情報の送信方法を例示する。図６は、操作端末２０による識別情報送信のバリエーションを示す図である。
【００６４】
たとえば、図６の（ａ）に示す携帯電話２０Ｂには、表示装置１の操作アプリケーションのユーザインターフェース２３が表示画面に表示されている。この場合、ユーザはユーザインターフェース上にある操作開始アイコン２４を選択することによって、識別情報を送信する。
【００６５】
図６の（ｂ）に示すＴＶ付属のリモコン２０Ａには、複数設けられたボタンのひとつとして、操作開始ボタン２５がある。このリモコン２０Ａでは、ユーザが操作開始ボタン２５を押すことによって、識別情報を送信する。
【００６６】
また、識別情報の送信は、操作端末２０の状態が変化することによって実行することもできる。
【００６７】
たとえば、図６の（ｃ）に示すように、リモコン２０Ａの背面に送信用ボタン２６を設けてもよい。この送信用ボタン２６は、通常リモコン２０Ａの背面から飛び出すように設けられているが、リモコン２０Ａを机などの上に置くと、送信用ボタン２６がリモコン２０Ａの内部に押し込まれた状態になる。ユーザがふたたびリモコン２０Ａを持ち上げると、送信用ボタン２６が飛び出す。このように、送信用ボタン２６が押し込まれた状態から飛び出した状態になったとき、リモコン２０Ａは、ユーザがリモコン２０Ａを使用していると判断して識別情報を送信する。
【００６８】
また、状態の変化に伴う識別情報の送信方法としては、この他にも、たとえば加速度センサー等のセンサーを用いてもよい。つまり、リモコン２０Ａは、操作端末２０に設けた加速度センサーにより、操作端末２０の「傾き」を検知し、この「傾き」が一定の値を超えたときに識別情報を送信してもよい。
【００６９】
なお、本発明に係る表示装置は単独で用いてもよいし、識別情報を送信する操作端末と組み合わせて表示システムとしてもよい。
【００７０】
（プログラムおよび記録媒体）
最後に、表示装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００７１】
すなわち、表示装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【００７２】
この構成により、本発明の目的は、所定の記録媒体によっても、達成できる。この記録媒体は、上述した機能を実現するソフトウェアである表示装置１の制御プログラムのプログラムコード（実行形式プログラム、中間コードプログラム、ソースプログラム）をコンピュータで読み取り可能に記録していればよい。表示装置１にこの記録媒体を供給する。これにより、コンピュータとしての表示装置１（またはＣＰＵやＭＰＵ）が、供給された記録媒体に記録されているプログラムコードを読み出し、実行すればよい。
【００７３】
プログラムコードを表示装置１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７４】
また、表示装置１を、通信ネットワークと接続可能に構成しても、本発明の目的を達成できる。この場合、上記のプログラムコードを、通信ネットワークを介して表示装置１に供給する。この通信ネットワークは、表示装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７５】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７７】
本発明は、たとえばリモコンまたは携帯電話等の操作端末によって操作される、テレビまたはパソコン等に適用できる。
【符号の説明】
【００７８】
１    表示装置
２    受信部（識別情報受信手段）
３    コンテンツ取得部（コンテンツ取得手段）
４    コンテンツ記憶部（コンテンツ記憶手段）
５    画像処理部
６    画像出力部（表示手段）
７    ディスプレイ
８    音声変換部（音声変換手段）
９    音声出力部（音声出力手段）
１０  スピーカ
２０  操作端末
３０  外部機器
【図１】
2011035697.tif 000003
【図２】
2011035697.tif 000004
【図３】
2011035697.tif 000005
【図４】
2011035697.tif 000006
【図５】
2011035697.tif 000007
【図６】
2011035697.tif 000008